(57)【要約】      （修正有）【課題】主記憶装置の容量を大きくすることなく広告情報の表示を速やかに行うことができ、しかも設置場所等に適した広告情報を表示することの可能な自動販売機を提供する。【解決手段】ＭＣ３７に記憶された複数の広告情報の中から所定の抽出条件を満たす広告情報を抽出し、抽出された各広告情報をＲＡＭ２４の容量に応じた広告情報だけＲＡＭ２４に記憶させ、ＲＡＭ２４の広告情報を表示リストの表示順序に基づいてＬＣＤ１４に表示させるようにしたので、ＲＡＭ２４の容量を大きくすることなく広告情報の表示を速やかに行うことができ、ＲＡＭ２４のコストを増加させることがなく、広告による宣伝効果を向上させることができる。また、例えば時間帯や自動販売機の設置場所等の条件に適した広告情報を表示することができることから、広告による宣伝効果をより向上させることができる。【選択図】図３
2008059091.tif 000002
【特許請求の範囲】
【請求項１】
広告情報を表示可能な表示部と、広告情報を記憶可能な主記憶装置とを備え、所定の外部記憶装置に記憶された広告情報を主記憶装置に記憶するとともに、主記憶装置の広告情報を表示部に表示するようにした自動販売機において、
前記外部記憶装置に記憶された複数の広告情報の中から所定の抽出条件を満たす広告情報を抽出する広告情報抽出手段と、
広告情報抽出手段によって抽出された複数の広告情報を主記憶装置の容量に応じた広告情報だけ主記憶装置に記憶させ、主記憶装置の広告情報を所定の表示順序に基づいて表示部に表示させる制御手段とを備えた
ことを特徴とする自動販売機。
【請求項２】
前記広告情報抽出手段を、各広告情報に付与された属性に基づいて抽出条件を満たす広告情報を抽出するように構成した
ことを特徴とする請求項１記載の自動販売機。
【請求項３】
前記制御手段を、各広告情報に属性として付与された表示優先順位に基づいて広告情報の表示順序を設定するように構成した
ことを特徴とする請求項１または２記載の自動販売機。
【請求項４】
前記制御手段を、広告内容に関する属性が同一の複数の広告情報が互いに非連続で表示されるように広告情報の表示順序を設定するように構成した
ことを特徴とする請求項１、２または３記載の自動販売機。
【請求項５】
前記外部記憶装置を、主記憶装置に着脱可能に接続される記憶媒体で構成した
ことを特徴とする請求項１、２、３または４記載の自動販売機。
【請求項６】
前記外部記憶装置を、ネットワークを介して接続された所定のサーバに設けた
ことを特徴とする請求項１、２、３または４記載の自動販売機。
【請求項７】
前記抽出条件を任意に変更可能に構成した
ことを特徴とする請求項１、２、３、４、５または６記載の自動販売機。
【発明の詳細な説明】
【技術分野】
【０００１】
本発明は、例えば缶入り飲料、紙パック飲料、箱入り菓子等の商品を販売するとともに広告を表示する自動販売機に関するものである。
【背景技術】
【０００２】
従来、この種の自動販売機として、広告情報を表示可能な表示部と、広告情報を記憶可能な主記憶装置とを備え、所定の外部記憶装置に記憶された広告情報を主記憶装置に記憶するとともに、主記憶装置の広告情報を表示部に表示するようにしたものが知られている。
【０００３】
しかしながら、この自動販売機では、単に外部記憶装置に記憶された広告情報を表示部に表示させているので、例えば時間帯や自動販売機の設置場所等に適した広告情報を表示することができず、広告による宣伝効果を向上させることができないという問題点があった。
【０００４】
そこで、所定の抽出条件を満たす広告情報を外部記憶装置に記憶された複数の広告情報の中から抽出して表示部に表示するようにしたものも知られている（例えば特許文献１参照）。
【特許文献１】特開２００３−１３２２６４号公報
【発明の開示】
【発明が解決しようとする課題】
【０００５】
ところで、自動販売機の主記憶装置には、冷熱機器等の制御データ等も記憶されていることから、主記憶装置に記憶される広告情報の数が制限される。また、例えば抽出した広告情報を全て記憶するために容量の大きい主記憶装置を用いた場合には、主記憶装置のコストが高くなるという問題点があった。
【０００６】
さらに、外部記憶装置の広告情報を一つずつ抽出して主記憶装置に記憶させるようにしたものでは、広告情報を抽出して主記憶装置に転送する必要があることから、例えば複数の広告情報を順次切替えて表示する場合には、新たな広告情報が表示部に表示されるまでの時間が長くなり、結果として広告による宣伝効果を低下させるという問題点があった。
【０００７】
本発明は前記問題点に鑑みてなされたものであり、その目的とするところは、主記憶装置の容量を大きくすることなく広告情報の表示を速やかに行うことができ、しかも設置場所等に適した広告情報を表示することの可能な自動販売機を提供することにある。
【課題を解決するための手段】
【０００８】
本発明は、前記目的を達成するために、広告情報を表示可能な表示部と、広告情報を記憶可能な主記憶装置とを備え、所定の外部記憶装置に記憶された広告情報を主記憶装置に記憶するとともに、主記憶装置の広告情報を表示部に表示するようにした自動販売機において、前記外部記憶装置に記憶された複数の広告情報の中から所定の抽出条件を満たす広告情報を抽出する広告情報抽出手段と、広告情報抽出手段によって抽出された複数の広告情報を主記憶装置の容量に応じた広告情報だけ主記憶装置に記憶させ、主記憶装置の広告情報を所定の表示順序に基づいて表示部に表示させる制御手段とを備えている。
【０００９】
これにより、抽出された広告情報が主記憶装置の容量に応じた広告情報だけ記憶されることから、主記憶装置の広告情報を順次切替えて表示する場合には、新たな広告情報を速やかに表示することが可能となる。また、所定の抽出条件を満たす広告情報が表示部に表示されることから、例えば時間帯や設置場所等の条件に適した広告情報を表示することが可能となる。
【発明の効果】
【００１０】
本発明によれば、主記憶装置の容量を大きくすることなく広告情報の表示を速やかに行うことができるので、主記憶装置のコストを増加させることがなく、広告による宣伝効果を向上させることができる。また、例えば時間帯や自動販売機の設置場所等の条件に適した広告情報を表示することができることから、広告による宣伝効果をより向上させることができる。
【発明を実施するための最良の形態】
【００１１】
図１乃至図８は本発明の一実施形態を示すもので、図１は自動販売機の正面図、図２は図１に示した自動販売機の側面断面図、図３は図１に示した自動販売機の制御系構成を示すブロック図、図４は広告情報のデータ構造の一例を示す図、図５は図１に示した自動販売機における広告表示動作の流れを示すフロー図、図６は広告画面を示す図、図７は表示リストのデータ構造の一例を示す図、図８は自動販売機の変形例を示すシステム構成図である。
【００１２】
まず、図１及び図２を参照して自動販売機の構造について説明する。ここでの説明では図１の手前側を前、奥側を後、左側を左、右側を右と表記する。
【００１３】
自動販売機本体１は箱形を成し、前面を開口した断熱室１ａをその内側に備えている。断熱室１ａは断熱性の仕切り板（図示省略）によって左右に並ぶ複数の庫室ＳＲに区分されている。
【００１４】
各庫室ＳＲ内には、サーペンタイン式ラックから成る商品収納ラック２がそれぞれ配置されている。各商品収納ラック２は前面側上部に商品投入口２ａを有し、蛇行状の収納通路２ｂに缶入り飲料、瓶入り飲料、ペットボトル入り飲料等の商品Ｃを横向きで積み重ねた状態で収納している。また、各商品収納ラック２の下部には、収納商品Ｃを１個宛シュート板３上に落下搬出するための商品搬出機構２ｃが設けられている。さらに、各庫室ＳＲ毎に配置された商品収納ラック２それぞれには、商品Ｃの有無を収納通路２ｂ単位で検知する売切検知センサ（図示省略）が設けられている。この商品収納ラック２には、サーペンタイン式ラックに限らず、サーペンタイン式ラックと同様に収納商品を１個宛搬出可能な他形式のラックを使用することが可能である。
【００１５】
また、各庫室ＳＲ内には、その底部から背部にかけてシュート板３とダクト板４が設けられている。シュート板３及びダクト板４下側及び背面側の空間には、冷凍機構成機器のうちの蒸発器５と電熱ヒータ６と冷却・加温空気循環用送風機７等が配置され、ダクト板４の背面側空間はダクトＤとして構成されている。さらに、各庫室ＳＲ内には、商品収納ラック２内の搬出間近商品の温度を検知する温度センサ（図示省略）が設けられている。
【００１６】
断熱室１ａの底板１ｂの下側には機械室ＭＲが設けられており、この機械室ＭＲ内には、冷凍機構成機器のうちの凝縮器８、圧縮機９及び膨張手段（図示省略）と排熱用送風機１０等が配置されている。
【００１７】
また、断熱室１ａの前側には、その前面開口を開閉自在に覆う断熱性の内扉１１が設けられている。断熱室１ａの上下左右の前端部（下側の前端部は底板１ｂの前端部）と各仕切り板の前端部には、内扉１１を閉じた状態で商品収納室（各庫室ＳＲ）を気密状態とするためのパッキン（符号無し）が設けられており、各庫室ＳＲは内扉１１を閉じた状態で独立した断熱空間となる。さらに、内扉１１の下部には、各庫室ＳＲのシュート板３に対応した窓穴１１ａが複数個形成されており、各窓穴１１ａには、シュート板３を滑り落ちる商品Ｃによって押し開けられるフラップドア１１ｂが設けられている。
【００１８】
つまり、この自動販売機では、各庫室ＳＲが独立の断熱空間を構成し、しかも、各庫室ＳＲに蒸発器５と電熱ヒータ６が独立して設けられていることから、後述の温度調整用設定器３０（図３参照）によって庫室ＳＲ毎に冷却と加温と非冷却・加温の３つのモードの何れか１つを任意に選択して実施することができる。
【００１９】
外扉１２は自動販売機本体１の前面開口に開閉自在に設けられており、この外扉１２の表面上部には化粧パネル１３が設けられている。この化粧パネル１３は、液晶ディスプレイ１４の画面を露出するための矩形状窓穴１３ａと、商品メーカー名や商品名等を文字で表示するための広告部１３ｂを有している。
【００２０】
液晶ディスプレイ（Ｌｉｑｕｉｄ  Ｃｒｙｓｔａｌ  Ｄｉｓｐｌａｙ、以下ＬＣＤと言う）１４は後述の広告画面及び商品販売画面を構成する静止画像及び動画像をカラー表示するためのもので、その画面が窓穴１３ａから露出するように化粧パネル１３の内側に配置されている。このＬＣＤ１４は所定サイズと所定解像度、例えば１８インチのサイズと１２８０×１０２４ピクセルの解像度を有する。このＬＣＤ１４の代わりに同様の表示を可能とした周知ディスプレイ、例えばＣＲＴ（Ｃａｔｈｏｄｅ  Ｒａｙ  Ｔｕｂｅ）ディスプレイやＰＤＰ（Ｐｌａｓｍａ  Ｄｉｓｐｌａｙ  Ｐａｎｅｌ）等を使用することが可能である。
【００２１】
図１及び図２における図示を省略したが、ＬＣＤ１４の画面には、画面に利用者がタッチした位置を検知して画面上の座標位置を指定するタッチセンサ３３（図３参照）が設けられている。このタッチセンサ３３には周知の静電式透明タッチパネルや感圧式透明タッチパネルの他に、赤外線センサを構成する発光部と受光部を矩形枠の上下辺と左右辺に等間隔で配置したもの等が適宜使用できる。
【００２２】
また、外扉１２の前面には、ロック操作レバー１５、硬貨投入口１６、返却レバー１７、紙幣投入口１８、硬貨返却口１９、商品取出口２０が図１に示すレイアウトで設けられている。因みに、ロック操作レバー１５は外扉１２内に設けられたロック機構（図示省略）を操作するためのもので、専用キーによって使用可能な状態となる。また、商品取出口２０には、手動により開放可能なフラップドア２１が設けられ、その内側にはフラップドア１１ｂから排出された商品Ｃを受容する商品受け板２２が設けられている。
【００２３】
次に、図３を参照して図１及び図２に示した自動販売機の制御系構成について説明する。
【００２４】
制御部２３は商品Ｃの温調及び搬出等を制御するとともに、ＬＣＤ１４の表示及び外部とのデータ通信等を制御するためのものである。制御部２３はＣＰＵと、ＲＯＭと、主記憶装置としてのＲＡＭ２４と、タイマー回路等とを備えたコンピュータから成り、制御上で必要なデータ交換を相互で行うことができる。また、ＲＡＭ２４には、後述の広告情報を所定数だけ記憶することができる。なお、制御部２３は、本願請求項でいう広告情報抽出手段及び制御手段を構成している。
【００２５】
制御部２３には、硬貨処理機２５、紙幣識別機２６、搬出駆動部２７、圧縮機駆動部２８、ヒータ駆動部２９、温度調整用設定器３０が接続されている。また、制御部２３には、各庫室ＳＲ毎に配置された商品収納ラック２内の商品Ｃの有無を収納通路２ｂ単位で検知する売切検知センサ（図示省略）が売切検知部（図示省略）を介して接続され、各庫室ＳＲ内の搬出間近商品の温度を検知する温度センサ（図示省略）が温度検知部（図示省略）を介して接続されている。
【００２６】
硬貨処理機２５と紙幣識別機２６は外扉１２内に配置されていて、硬貨処理機２５は硬貨投入口１６を通じて投入された硬貨の真偽識別と計数と貯蔵を行い、投入硬貨の金額に関するデータを制御部２３に送出する。紙幣識別機２６は紙幣投入口１８を通じて投入された紙幣の真偽識別と貯蔵を行い、投入紙幣の金額に関するデータを制御部２３に送出する。
【００２７】
搬出駆動部２７は、各商品収納ラック２に設けられた商品搬出機構２ｃの動作、詳しくは商品搬出機構２ｃに用いられているソレノイド等のアクチュエータの動作を制御するためのもので、制御部２３からの制御信号に基づいて所定の商品搬出機構２ｃを動作させて所期の商品搬出を行う。
【００２８】
圧縮機駆動部２８は、冷凍機を構成する圧縮機９の動作、詳しくは圧縮機９を駆動するためのモータの運転を制御するためのもので、制御部２３からの制御信号に基づいて所期の圧縮機駆動を行う。
【００２９】
ヒータ駆動部２９は、各電熱ヒータ６への通電を制御するためのもので、制御部２３からの制御信号に基づいて所定の電熱ヒータ６への通電を行う。
【００３０】
温度調整用設定器３０は、先に述べた３つのモードの何れか１つを各庫室ＳＲ毎に選択するためのもので、モード選択用の押しボタンスイッチ等を備え、選択されたモードに関するデータを制御部２３に送出する。
【００３１】
また、制御部２３には、ＬＣＤ駆動部３１と、座標検出部３２と、音声出力部３４と、メモリーカードアダプタ（以下ＭＣアダプタと言う）３６と、モデム３８と、無線通信部４０が接続されている。
【００３２】
ＬＣＤ駆動部３１は、外扉１２に設けられたＬＣＤ１４の表示を制御するためのもので、制御部２３からの画像データ及び制御信号に基づいてＬＣＤ１４を駆動して所期の画像表示を行う。
【００３３】
座標検出部３２は、タッチセンサ３３の検知信号に基づき画面上の座標に関するデータを制御部２３に送出する。後述する広告画面で表示される領域はＬＣＤ１４の画面上の座標を基準として設定されているので、座標検出部３２から制御部３２に送られるデータによって広告画面においてどの領域が選択されたかを簡単に判断できる。
【００３４】
音声出力部３４は、制御部２３からの音声信号及び制御信号に基づいてスピーカ３５を駆動して所期の音声出力を行う。このスピーカ３５は外扉１２内のＬＣＤ１４の両側に少なくとも１個宛配置されていて、ステレオ方式により立体的な音響効果が得られるようになっている。
【００３５】
ＭＣアダプタ３６は、外部記憶装置としてのメモリーカード（以下ＭＣと言う）３７と着脱可能に接続する。モデム３８は公衆電話回線３９等を利用して外部サーバ等との間でデータ通信を行うためのものであり、無線通信部４０は携帯電話網やＰＨＳ電話網等を利用して外部サーバ等との間で無線にてデータ通信を行うためのものである。
【００３６】
ＬＣＤ１４に表示され得る静止画像及び動画像等の画像データやスピーカ３５から出力される音声データは、ＭＣ３７、モデム３８を介してのデータ通信、または、無線通信網４０を介してのデータ通信によって、制御部２３が備えるハードディスク等の記憶手段に取り込むことができ、データ更新も任意に行うことができる。
【００３７】
前記の画像データ及び音声データには、後述する広告画面時の表示画像、表示文字及び出力音声や、商品販売画面時の表示画像（販売可能商品それぞれに対応した複数の商品画像を含む）、表示文字及び出力音声等が含まれる。
【００３８】
ＭＣ３７には、広告画面に表示される複数の広告情報が記憶されている。各広告情報は、図４に示すように広告ＩＤ、画像データ、音声データ、広告主、広告カテゴリ、時間帯及び表示優先順位から構成されている。
【００３９】
広告ＩＤは広告情報を識別するための属性であり、各広告情報毎にそれぞれ異なるＩＤが付与されている。広告カテゴリは、広告する商品やサービスのカテゴリを表すための属性であり、例えば「飲料」、「食品」または「自動車」等のカテゴリが付与されている。なお、広告主及び広告カテゴリは、広告内容に関する属性を表すものである。時間帯は、広告情報が表示可能な時間帯を表すための属性であり、各広告情報毎に異なる時間帯が格納されている。表示優先順位は、広告情報の表示順序を優先させるための属性であり、１〜３のうち何れか一つの値が格納されている。この場合、表示優先順位の値が小さくなる程、広告情報の表示順序が他の広告情報よりも優先される。なお、上記の時間帯及び表示優先順位は、広告主との契約内容により任意に設定することが可能である。
【００４０】
因みに、制御部２３の記憶手段には、商品販売画面で表示される各商品画像が記憶されている。
【００４１】
次に、図５〜図７を参照して図１及び図２に示した自動販売機における広告表示動作について説明する。
【００４２】
自動販売機の電源を入れると、図６に示す広告画面がＬＣＤ１４に表示される（ステップＳ１）。
【００４３】
この広告画面には、広告情報の画像データを表示するための広告表示領域Ａ１と、商品販売画面に表示を切替えるための画面切替用領域Ａ２が設定されている。
【００４４】
そして、現在時刻を制御部２３のタイマー回路から取得し（ステップＳ２）、表示可能な時間帯に現在時刻を含む広告情報をＭＣ３７から抽出する（ステップＳ３）。例えば、図４の広告情報がＭＣ３７に記憶されている場合に、現在時刻が１０時であったときには、広告ＩＤ０００１，０００２，０００４，０００５，０００６，００１０，００１２及び００１４の広告情報が抽出される。
【００４５】
次に、抽出された広告情報の表示順序を表す表示リストを生成する（ステップＳ４）。表示リストの生成について具体的に説明すると、まず、ステップＳ３において抽出した広告情報の広告ＩＤを図７（ａ）に示すように配列する。そして、表示優先順位に小さい値が設定された広告情報の表示順序を繰り上げる。例えば、表示優先順位に「１」が設定された広告ＩＤ０００２の広告情報の表示順序を１番目に設定し、表示優先順位に「２」が設定された広告ＩＤ０００６の広告情報の表示順序を２番目に設定する。次いで、広告内容に関する属性（本実施形態では広告カテゴリ）が同一に設定された複数の広告情報が連続して配列されている場合には、その配列が非連続となるように表示順序を変更する。例えば、互いに広告カテゴリに「食品」が設定された広告ＩＤ００１２及び００１４の広告情報の表示順序が７番目及び８番目であった場合には、広告ＩＤ００１２の広告情報と表示順序が６番目に設定された広告ＩＤ００１０の広告情報の表示順序を入替える。これにより、同一の広告カテゴリを有する複数の広告情報が非連続で表示される。そして、上記の処理により図７（ｂ）に示すように生成された表示リストは、ＲＡＭ２４に格納される。
【００４６】
次いで、表示リストの表示順序に基づいて広告情報をＲＡＭ２４に記憶する（ステップＳ５）。この場合、各広告情報はＲＡＭ２４の容量に応じた分だけＭＣ３７からＲＡＭ２４に転送される。例えば、ＲＡＭ２４に記憶可能な広告情報の数が２つであった場合には、表示順序が１番目の広告情報から２つずつＲＡＭ２４に転送される。
【００４７】
そして、表示リストの表示順序に基づいてＲＡＭ２４の広告情報を再生する（ステップＳ６）。この場合、ＲＡＭ２４の全ての広告情報が再生されるまでステップＳ６の処理を繰り返し、ＲＡＭ２４の全ての広告情報を再生した場合には、ステップＳ５に移行する（ステップＳ７）。なお、この処理を繰り返すことにより表示リストの広告情報を全て再生した場合には、広告情報を表示順序に基づいて順次ＲＡＭ２４に転送することにより広告情報の再生を繰り返す。
【００４８】
また、上記フローでは説明を省略したが、所定時間（例えば１時間）経過毎にステップＳ２以降の処理を行うようにすることで、広告情報の抽出条件を変更することが可能となる。例えば、現在時刻が２０時の場合には、広告ＩＤ０００２，０００４，０００５，０００８，０００９，００１０，００１１，００１３，００１４及び００１５の広告情報が抽出される。
【００４９】
なお、広告画面において画面切替用領域Ａ２がタッチされたときには、広告画面を商品販売画面に切替えて所定の商品販売動作を行う。この場合、商品販売画面には各商品画像がＬＣＤ１４に表示され、商品画像が表示された領域を利用者がタッチすることにより商品が選択される。そして、投入金額が選択商品の価格以上となる場合には、選択商品が収納されている商品収納ラック２の商品搬出機構２ｃを動作させて商品搬出を行う。また、商品搬出完了後は、商品販売画面を広告画面に戻す。
【００５０】
このように、本実施形態の自動販売機によれば、ＭＣ３７に記憶された複数の広告情報の中から所定の抽出条件を満たす広告情報を抽出し、抽出された各広告情報をＲＡＭ２４の容量に応じた広告情報だけＲＡＭ２４に記憶させ、ＲＡＭ２４の広告情報を表示リストの表示順序に基づいてＬＣＤ１４に表示させるようにしたので、ＲＡＭ２４の容量を大きくすることなく広告情報の表示を速やかに行うことができ、ＲＡＭ２４のコストを増加させることがなく、広告による宣伝効果を向上させることができる。また、例えば時間帯や自動販売機の設置場所等の条件に適した広告情報を表示することができることから、広告による宣伝効果をより向上させることができる。
【００５１】
また、各広告情報に付与された属性に基づいて抽出条件を満たす広告情報を抽出するように構成したので、抽出条件を満たす広告情報を速やかに抽出することができ、広告による宣伝効果をより向上させることができる。
【００５２】
さらに、各広告情報に属性として付与された表示優先順位に基づいて広告情報の表示順序を設定するようにしたので、所定の商品等の広告情報を他の広告情報よりも優先させて表示させることができ、該商品等の販売促進効果をより向上させることができる。
【００５３】
さらにまた、広告カテゴリが同一の複数の広告情報が互いに非連続で表示されるように広告情報の表示順序を設定するようにしたので、例えば自動車のように同じカテゴリに属する商品の広告情報を連続して表示することがないことから、同業他社の広告情報の後に自社商品等の広告情報が表示される等のような広告主の不満を生じさせることがないという利点がある。
【００５４】
また、外部記憶装置を、ＲＡＭ２４に着脱可能に接続されるＭＣ３７で構成したので、広告情報を任意に更新することができ、季節や場所等に応じた最新の広告情報を利用者に提供することができる。
【００５５】
なお、上記実施形態は本発明の一具体例に過ぎず、本発明が上記実施形態のみに限定されることはない。例えば、前記実施形態では、各広告情報に設定された時間帯に基づいて広告情報を抽出するものを示したが、各広告情報に地域、季節、広告の対象者の年齢または性別等の属性を付与して、これらの属性に基づいて広告情報を抽出するようにしてもよい。また、自動販売機の外部温度を検知する温度センサや、自動販売機の外部湿度を検知する湿度センサを制御部２３に接続可能に設けるとともに、各広告情報に温度帯または湿度帯等の属性を付与することにより、外部の温度または湿度に基づいて広告情報を抽出することも可能である。
【００５６】
また、前記実施形態では、ＭＣ３７に記憶された各広告情報をＲＡＭ２４に記憶するものを示したが、各広告情報を記憶するハードディスク１０１を、図８に示すようにネットワークとしての公衆回線網３９、携帯電話網またはＰＨＳ電話網を介して接続された広告管理サーバ１００に設けるようにしてもよい。この場合、ハードディスク１０１から抽出された広告情報は、モデム３８または無線通信部４０を介して制御部２３の記憶手段に記憶される。そして、記憶手段の各広告情報は、表示リストが生成された後に、表示リストの表示順序に基づいてＲＡＭ２４に転送される。これにより、広告情報を広告管理サーバ１００に集中して管理することができるので、広告情報の更新等を容易に行うことができ、運用性を向上させることができる。
【００５７】
さらに、前記実施形態では、現在時刻の経過に応じて抽出条件を変更するものを示したが、抽出条件設定用のボタン等の入力手段を用いて抽出条件を変更するようにしてもよい。
【００５８】
さらにまた、前記実施形態では、広告カテゴリを「食品」や「自動車」に分類したものを示したが、例えば「パン」や「ガム」等のように広告カテゴリを細かく設定可能であることは言うまでもない。
【図面の簡単な説明】
【００５９】
【図１】本発明の一実施形態を示す自動販売機の正面図
【図２】図１に示した自動販売機の側面断面図
【図３】図１に示した自動販売機の制御系構成を示すブロック図
【図４】広告情報のデータ構造の一例を示す図
【図５】図１に示した自動販売機における広告表示動作の流れを示すフロー図
【図６】広告画面を示す図
【図７】表示リストのデータ構造の一例を示す図
【図８】自動販売機の変形例を示すシステム構成図
【符号の説明】
【００６０】
１４…ＬＣＤ、２３…制御部、２４…ＲＡＭ、３７…メモリーカード、１００…サーバ、１０１…ハードディスク。
【図１】
2008059091.tif 000003
【図２】
2008059091.tif 000004
【図３】
2008059091.tif 000005
【図４】
2008059091.tif 000006
【図５】
2008059091.tif 000007
【図６】
2008059091.tif 000008
【図７】
2008059091.tif 000009
【図８】
2008059091.tif 000010